(57)【要約】【課題】  筆記時の握持感が損なわれることなく、軸筒の内部やリフィールユニットの状態を視覚的に把握することのできる筆記具を提供する。【解決手段】  軸筒１と、軸筒１に設けられる弾性のラバーグリップ４と、軸筒１の軸方向にスライド可能に挿入されるリフィールユニット２０と、ノック操作により、軸筒１の開口先端部からリフィールユニット２０の筆記部２３を出没させるカーン式のノック機構３０とを備える。そして、軸筒１を透明に形成し、軸筒１の周壁周面からラバーグリップ４を貫通露出する一対の膨出凸部７をそれぞれ突出させ、ラバーグリップ４の全長をＬ、ラバーグリップ４の先端部４ａと膨出凸部７の先端部７ａとの間の距離をＸとした場合に、Ｘ≧（Ｌ／４）の関係式を満たすようにする。【選択図】図２
2005199513.tif 000002
【特許請求の範囲】
【請求項１】
リフィールユニットを収容する軸筒と、この軸筒に設けられるグリップとを含んでなる筆記具であって、
軸筒を透明に形成し、この軸筒の周面からグリップを貫通露出する凸部を突出させ、グリップの全長をＬ、グリップの先端部と凸部の先端部との間の距離をＸとした場合に、Ｘ≧（Ｌ／４）の関係式を満たすようにしたことを特徴とする筆記具。
【請求項２】
凸部を軸筒の軸方向に伸びる略紡錘形とし、この凸部の先端部から末端部に向かうに従い、凸部の幅を軸筒の周方向に広げるようにした請求項１記載の筆記具。
【請求項３】
軸筒の周面から一対の凸部をそれぞれ突出させ、この一対の凸部を略１８０°間隔で配備した請求項１又は２記載の筆記具。
【発明の詳細な説明】
【技術分野】
【０００１】
本発明は、ボールペン、修正具、化粧具等からなる筆記具に関するものである。
【背景技術】
【０００２】
筆記には様々なタイプがあるが、その一つとして、軸筒に挿入したリフィールユニットの交換が可能なタイプが知られている。
【０００３】
このタイプの筆記具は、図示しないが、中空透明の軸筒と、この軸筒に挿入される交換可能なリフィールユニットと、ノック操作により、軸筒の開口先端部からリフィールユニットの筆記部を出没させるノック機構とから構成されている。軸筒は、その周面から突部が突出し、この突部を通じ、軸筒の内部やリフィールユニットのインキの残量が視覚的に把握される（特許文献１参照）。
【特許文献１】特開平７‐２９０８７６号公報
【発明の開示】
【発明が解決しようとする課題】
【０００４】
従来の筆記具は、以上のように構成され、軸筒の内部やリフィールユニットのインキの残量をさらに容易に把握するため、突部を厚くしたり、突部をレンズ形状に形成する試みがなされている。
しかしながら、突部をレンズ形に形成すると、突部が凸型になるので、筆記時の握持感が大いに阻害されるという大きな問題がある。
【０００５】
本発明は、上記に鑑みなされたもので、筆記時の握持感が損なわれることなく、軸筒の内部やリフィールユニットの状態を視覚的に把握することのできる筆記具を提供することを目的としている。
【課題を解決するための手段】
【０００６】
本発明においては、上記課題を解決するため、リフィールユニットを収容する軸筒と、この軸筒に設けられるグリップとを含んでなるものであって、
軸筒を透明に形成し、この軸筒の周面からグリップを貫通露出する凸部を突出させ、グリップの全長をＬ、グリップの先端部と凸部の先端部との間の距離をＸとした場合に、Ｘ≧（Ｌ／４）の関係式を満たすようにしたことを特徴としている。
【０００７】
なお、凸部を軸筒の軸方向に伸びる略紡錘形とし、この凸部の先端部から末端部に向かうに従い、凸部の幅を軸筒の周方向に広げることが好ましい。
また、軸筒の周面から一対の凸部をそれぞれ突出させ、この一対の凸部を略１８０°間隔で配備することができる。
【０００８】
ここで、特許請求の範囲におけるリフィールユニットは、太くても細くても良い。軸筒は、透明でも半透明でも良い。また、凸部は、２個が主ではあるが、３個、４個等の複数とすることもできる。凸部の略紡錘形には、少なくとも紡錘形、おおよそ紡錘形、菊紋を形成する弁状、長い略卵型等が含まれる。この点に関連し、グリップの全長をＬ、グリップの先端部と凸部の先端縁との間の距離をＹとした場合に、Ｙ≧（Ｌ／４）の関係式を満たすようにすれば、握持感をさらに向上させ、不快感を減少させることができる。
【０００９】
本発明に係る筆記具はノック機構を備えることが好ましいが、このノック機構は、筆記時におけるノック体のノック操作に基づき、回転子を回転させてカムに形成した係合爪とカム条体に形成した係合歯とを噛み合わせ、軸筒の開口先端部から突出したリフィールユニットの筆記部を後退不能とし、未筆記時におけるノック体のノック操作に基づき、回転子を回転させてカムとカム条体との噛み合わせを解除し、各カムを複数のカム条体間に位置させ、軸筒から突出したリフィールユニットの筆記部を後退可能とすることが好ましい。
さらに、本発明に係る筆記具には、少なくとも各種のペン、修正具、化粧具等が含まれる。
【００１０】
本発明によれば、グリップの全長をＬ、グリップの先端部と凸部の先端部との間の距離をＸとした場合、Ｘ≧（Ｌ／４）の関係式を満足するよう、軸筒に凸部の位置を特定するので、凸部が凸型レンズ形状でも、凸部の指に当たる領域が小さくなり、筆記時に不快感が生じるのを抑制することができる。
【００１１】
また、凸部を軸筒の軸方向に伸びる略紡錘形とし、この凸部の先端部から末端部に向かうに従い、凸部の幅を軸筒の周方向に次第に広げれば、指に当たる凸部の先端部幅が狭いので、握持感や接触感が良好になり、指の当たる凸部の先端部を筆記する者が邪魔に思うことがない。
さらに、軸筒から一対の凸部をそれぞれ突出させ、この一対の凸部を略１８０°間隔で向かい合わせれば、この一対の凸部の対向個所から光線を取り込むことができ、軸筒の内部やリフィールユニットを明瞭に把握することができる。
【発明の効果】
【００１２】
本発明によれば、筆記時の握持感が損なわれるのを抑制防止し、軸筒の内部やリフィールユニットの状態を視覚的に把握することができるという効果がある。
【発明を実施するための最良の形態】
【００１３】
以下、図面を参照して本発明の好ましい実施の形態を説明すると、本実施形態における筆記具は、図１ないし図１４に示すように、中空の軸筒１と、この軸筒１に設けられるラバーグリップ４と、軸筒１の軸方向にスライド可能に挿入されるリフィールユニット２０と、ノック操作により、軸筒１の開口先端部からリフィールユニット２０の筆記部２３を出没（現れたり、隠れたりする）させるカーン式のノック機構３０とを備え、軸筒１からラバーグリップ４を貫通する一対の膨出凸部７をそれぞれ突出させ、ラバーグリップ４の全長をＬ、ラバーグリップ４の先端部４ａと膨出凸部７の先端部７ａとの間の距離をＸとした場合に、Ｘ≧（Ｌ／４）の関係式を満たすようにしている。
【００１４】
軸筒１は、図１や図２に示すように、リフィールユニット２０を進退動可能に収容する長い中空の先軸筒２と、この先軸筒２の開口末端部に着脱自在に螺嵌される短い中空の後軸筒８とから構成され、例えばポリカーボネート等からなる所定の合成樹脂を使用して透明に成形されており、外気の流通を許容するよう機能する。
【００１５】
先軸筒２は、図１ないし図６に示すように、開口先端部が先細りの円筒形に成形され、先端部からフランジ３を備えた中央部付近に亘る領域には、指当て機能を有する弾性のラバーグリップ４が覆着されており、リフィールユニット２０を交換可能に収容する。ラバーグリップ４は、先軸筒２の軸方向に伸びる略円筒形に形成され、表裏部には、軸方向に伸びる紡錘形の貫通孔４ｂが１８０°間隔でそれぞれ穿孔される。
【００１６】
先軸筒２の内周面の先端部には、半径内方向に突出する複数の支持段差部５が所定の間隔で形成され、内周面の末端部には、後軸筒締結用の雌螺子６が周方向に螺刻形成される。また、先軸筒２の外周面の先端部から中央部付近に亘る領域には、光線を取り込む一対の膨出凸部７が周方向に所定の間隔をおいて対向配列される。
【００１７】
一対の膨出凸部７は、図２、図４ないし図６に示すように、先軸筒２の周壁周面から半径外方向に突出し、ラバーグリップ４の貫通孔４ｂからそれぞれ露出しており、１８０°の間隔で対向する。この一対の膨出凸部７は、図６に示すように、ラバーグリップ４の外表面よりも外方向に突出する。
【００１８】
各膨出凸部７は、図１ないし図６に示すように、軸筒１や先軸筒２の軸方向に伸びる細長い硬質の平面略紡錘形に形成される。この膨出凸部７は、丸まった先端部７ａから丸まった末端部方向に向かうに従い、薄肉から厚肉に太く曲がりながら成形されるとともに、幅が軸筒１の周方向（径方向）に曲がりながら拡大される。
【００１９】
また、膨出凸部７は、先端部７ａから末端部方向に向かうに従い、徐々に高くなるよう、換言すれば、末端部から先端部７ａに向かうに従い徐々に高さが減少するよう成形され、筆記時の把持感覚を著しく向上させるようになっている。膨出凸部７の末端部は、やや細く湾曲成形され、最大幅部よりも狭い幅とされる。このような各膨出凸部７は、表面が丸みを帯びた断面略半楕球形の凸型レンズとして（図６参照）、リフィールユニット２０用の拡大レンズ機能を発揮する。
【００２０】
後軸筒８は、図２、図７ないし図９に示すように、末端面が斜めの円筒形に成形され、止め具であるクリップ体１１と嵌合する。この後軸筒８は、その内周面先端部に、半径内方向に指向する断面略半円形の被係止突起９がリング形に突設され、外周面には雄螺子１０が周方向に螺刻形成されており、この雄螺子１０が先軸筒２の雌螺子６と螺合する。
【００２１】
クリップ体１１は、図７、図１０ないし図１２に示すように、末端面が斜めの円筒形に成形された外筒１２と、この外筒１２から先軸筒２の先端部方向に伸びる可撓性のクリップ１３とから着色して一体成形され、末端面が後軸筒８の末端面に沿うよう一体的に嵌合される。
【００２２】
リフィールユニット２０は、図２に示すように、例えば所定のインキ２１の充填された透明のインキ収容管２２と、このインキ収容管２２の先端部に連通して装着され、ノック時（筆記時）に先軸筒２の開口先端部から突出する筆記部２３とから構成される。インキ２１は、例えば赤、白、青、黒等の顔料インキ等があげられ、剪断減粘性の有無を特に問わない。
【００２３】
インキ収容管２２は、例えば合成樹脂等の所定の材料を使用して長い中空に成形され、所定の光透過率に設定される。筆記部２３は、インキ収容管２２の先細りの先端部に嵌着されるカバー２４を備え、このカバー２４には、回転可能なボール２５を出没可能に嵌合保持するチップが設けられる。
【００２４】
ノック機構３０は、図２や図７等に示すように、先軸筒２とリフィールユニット２０の間に介在されるリフィールユニット２０用のばね部材３１と、後軸筒８に形成される複数のカム条体３２と、後軸筒８に隙間を介し嵌入されてリフィールユニット２０の末端部側に着脱自在に配備される回転子３４と、この回転子３４に形成されて複数のカム条体３２の間にそれぞれ挿入される複数のカム３８と、ノック操作に基づいて回転子３４を所定の角度で回転させるノック体４１とから構成される。
【００２５】
ばね部材３１は、図２に示すように、例えばコイルスプリング等からなり、インキ収容管２２の先端部に着脱自在に嵌通された状態で先軸筒２に着脱自在に嵌入され、この先軸筒２の支持段差部５に支持されており、ノック操作時にリフィールユニット２０に圧縮されたり、進出したリフィールユニット２０を不使用時の元の位置に後退復帰させる。
【００２６】
複数のカム条体３２は、図９に示すように、後軸筒８の内周面周方向に間隔をおいて配列され、複数のカム３８を軸筒１の軸方向（長手方向）にガイドする。各カム条体３２は、軸筒１や後軸筒８の軸方向に伸びる略線条あるいは長方形の薄板に形成され、先端部が周方向に切り欠かれて係合歯３３を形成する。
【００２７】
回転子３４は、図２、図７、図１３等に示すように、ポリアセタールやポリオキシメチレン等の合成樹脂を使用して中空の断面略凸字形に形成され、後軸筒８内にスライド可能に嵌め通されるとともに、先軸筒２の末端部内に回転可能・進退動可能に挿入される。
【００２８】
この略筒形の回転子３４は、リフィールユニット２０の末端部側に対向接触するする中空ハット形の拡径筒３５と、この拡径筒３５の末端部に一体的に連通する中空の長い縮径筒３６とを備え、これら拡径筒３５と縮径筒３６との段差部表面には、連続した複数の鋸歯３７が周方向に周設される。
【００２９】
複数のカム３８は、図７や図１３に示すように、回転子３４の周方向に間隔をおいて配列される。各カム３８は、軸筒１や後軸筒８の軸方向に伸びる略線条あるいは長方形の薄板に形成され、末端部が周方向に直線的に切り欠かれて係合爪３９に傾斜形成されており、この係合爪３９がカム条体３２の係合歯３３と係合する。各カム３８の表面末端部側には、図１３に示す円形の係止突起４０が膨出形成され、この係止突起４０が後軸筒８の被係止突起９に係止する。
【００３０】
ノック体４１は、図１、図２、図７、図１４に示すように、例えばＡＢＳ樹脂等を使用して略円筒形に形成され、回転子３４の縮径筒３６に回転可能・着脱自在に嵌入されるとともに、後軸筒８に隙間を介しスライド可能に挿入されてその開口末端部からノック操作可能に露出する。このノック体４１の開口周縁部には、連続する駆動歯４２が周方向に周設され、この駆動歯４２が回転子３４の鋸歯３７と完全あるいは不完全に噛合する。
【００３１】
このような構成のノック機構３０は、筆記時にノック体４１がノック操作されると、ノック体４１の駆動歯４２が回転子３４の鋸歯３７に圧接して駆動力を付与し、リフィールユニット２０に接触している回転子３４が複数のカム条体３２に案内されつつ先軸筒方向にスライドして所定の角度（例えば、３０°以下）で回転するとともに、カム条体３２の係合歯３３とカム３８の係合爪３９とが噛合し、先軸筒２の開口先端部から突出したリフィールユニット２０の筆記部２３を後退不能（規制）とする。
【００３２】
これに対し、筆記が終了してノック体４１が再度ノック操作されると、回転子３４が先軸筒２方向にスライドし、噛合が解除されるとともに、ノック体４１の駆動歯４２により回転子３４が回転する。そして、突出していたリフィールユニット２０がばね部材３１の復元作用により後軸筒８方向に後退して各カム３８を複数のカム条体３２の間に位置させ、先軸筒２の開口先端部から突出していたリフィールユニット２０の筆記部２３が先軸筒２内に没入する。
【００３３】
上記構成によれば、膨出凸部７を凸型レンズとするので、軸筒１の内部やリフィールユニット２０のインキ２１の残量を実に容易に把握することができる。また、ラバーグリップ４の全長をＬ、ラバーグリップ４の先端部４ａと膨出凸部７の軸方向先端部との間の距離をＸとした場合、Ｘ≧（Ｌ／４）の関係式を満足するよう、膨出凸部７の位置を設定するので、膨出凸部７が例え硬質の凸型レンズでも、筆記時の握持感が阻害されることが全くない。
【００３４】
また、膨出凸部７が先細りの細長い略紡錘形なので、指に当たる膨出凸部７の先端部幅が狭くなる。したがって、握持感が向上し、指の当たる膨出凸部７の先端部７ａを筆記する者が不快に思うことがない。また、リフィールユニット２０を交換する場合、ノック機構３０の回転子３４が複数のカム条体３２に案内されながら後軸筒８の末端部方向から先端部方向にスライドするが、後軸筒８の被係止突起９に各カム３８の被係止突起４０が係止するので、後軸筒８から回転子３４が脱落して分解することがない。したがって、いかなるユーザでもノック機構３０を容易に組み立てることが可能になる。
【００３５】
また、後軸筒８の長手方向の寸法を短縮する場合でも、回転子３４の脱落を規制することができる。さらに、カム３８の表面先端部側ではなく、カム３８の表面末端部側に係止突起４０を突設するので、回転子３４のスライド量を長く確保することができる。
【００３６】
なお、上記実施形態ではラバーグリップ４を示したが、コルクグリップ等を代わりに使用することができる。また、上記実施形態では後軸筒８の内周面先端部に、被係止突起９をエンドレスに突設したが、回転子３４の脱落を防止できるのであれば、何らこれに限定されるものではない。例えば、後軸筒８の内周面先端部に、複数の被係止突起９を所定の間隔をおいて配列しても良い。さらに、各カム３８の表面末端部側に係止突起４０を膨出形成したが、任意のカム３８の表面末端部側に、円形、矩形、多角形等の係止突起４０を形成することもできる。
【図面の簡単な説明】
【００３７】
【図１】本発明に係る筆記具の実施形態を示す全体説明図である。
【図２】本発明に係る筆記具の実施形態を示す断面全体説明図である。
【図３】本発明に係る筆記具の実施形態における先軸筒を示す説明図である。
【図４】本発明に係る筆記具の実施形態における先軸筒を示す断面説明図である。
【図５】本発明に係る筆記具の実施形態における先軸筒とその膨出凸部を示す要部断面説明図である。
【図６】本発明に係る筆記具の実施形態における先軸筒とその膨出凸部を示す横断面説明図である。
【図７】本発明に係る筆記具の実施形態における後軸筒、クリップ体、ノック機構を示す断面説明図である。
【図８】本発明に係る筆記具の実施形態における後軸筒を示す説明図である。
【図９】本発明に係る筆記具の実施形態における後軸筒を示す断面説明図である。
【図１０】本発明に係る筆記具の実施形態におけるクリップ体を示す部分断面説明図である。
【図１１】本発明に係る筆記具の実施形態におけるクリップ体を示す平面説明図である。
【図１２】本発明に係る筆記具の実施形態におけるクリップ体を示す側面説明図である。
【図１３】本発明に係る筆記具の実施形態における回転子を示す部分展開断面説明図である。
【図１４】本発明に係る筆記具の実施形態におけるノック体を示す部分断面説明図である。
【符号の説明】
【００３８】
１          軸筒
２          先軸筒
４          ラバーグリップ（グリップ）
４ａ        ラバーグリップの先端部
４ｂ        ラバーグリップの貫通孔
７          膨出凸部（凸部）
７ａ        膨出凸部の先端部
８          後軸筒
２０        リフィールユニット
２１        インキ
２２        インキ収容管
２３        筆記部
３０        ノック機構
Ｌ          ラバーグリップの全長
Ｘ          ラバーグリップの先端部と膨出凸部の先端部との間の距離
【図１】
2005199513.tif 000003
【図２】
2005199513.tif 000004
【図３】
2005199513.tif 000005
【図４】
2005199513.tif 000006
【図５】
2005199513.tif 000007
【図６】
2005199513.tif 000008
【図７】
2005199513.tif 000009
【図８】
2005199513.tif 000010
【図９】
2005199513.tif 000011
【図１０】
2005199513.tif 000012
【図１１】
2005199513.tif 000013
【図１２】
2005199513.tif 000014
【図１３】
2005199513.tif 000015
【図１４】
2005199513.tif 000016